【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
電子写真画像形成装置の装置本体に着脱可能なプロセスカートリッジにおいて、
電子写真感光体と、
前記電子写真感光体に作用するプロセス手段と、
前記電子写真感光体、及び、前記プロセス手段を支持する第一ユニットと、
前記第一ユニットと回動可能に結合されている第二ユニットと、
前記第一ユニットと前記第二ユニットとを回動可能に結合するように前記第一ユニットと前記第二ユニットとにまたがって設けられている結合部材であって、前記プロセスカートリッジが前記装置本体に装着された際に、前記装置本体から前記プロセス手段に供給するためのバイアスを受ける導電性の結合部材と、
前記プロセスカートリッジが前記装置本体に装着された際に、前記結合部材が受けた前記バイアスを前記プロセス手段に供給するために、前記結合部材と接触して設けられている導電性部材であって、前記第一ユニットに設けられている導電性部材と、
前記第一ユニットと前記第二ユニットとがその長手方向に相対的に移動することによって、前記導電性部材が前記結合部材を押圧する押圧力を前記導電性部材に与える力付与部であって、前記第二ユニットに設けられている力付与部と、
を有することを特徴とするプロセスカートリッジ。
【請求項２】
前記プロセス手段は、前記電子写真感光体を帯電するための帯電部材であり、更に、前記第一ユニットは、前記電子写真感光体に形成された静電潜像を現像する現像ローラと、前記現像ローラの一端に前記現像ローラを回転させるための駆動力を受けて回転する際に生ずるスラスト力によって前記第二ユニットを前記導電性部材が前記結合部材を押圧する方向へ移動させるはす歯ギアと、を有する、そして、前記はす歯ギアが前記装置本体から前記押圧力を受けることを特徴とする請求項１に記載のプロセスカートリッジ。
【請求項３】
前記プロセス手段は、前記電子写真感光体を帯電するための帯電部材、及び／又は、前記電子写真感光体に形成された静電潜像を現像する現像ローラであることを特徴とする請求項１に記載のプロセスカートリッジ。
【請求項４】
前記導電性部材は前記第一ユニットの内壁に取り付けられている、そして、前記導電性部材はその一部に開口と、前記開口を貫通している前記結合部材の周面の一部に弾性的に接触している切り起こしを有する、また、前記結合部材が前記切り起こしと接触する際に、前記結合部材の移動に引きずられて前記切り起こしが前記結合部材から離れる方向へ移動しようとするのを前記力付与部でもって規制することを特徴とする請求項１に記載のプロセスカートリッジ。
【請求項５】
前記力付与部は円筒であって、前記結合部材は前記円筒と前記導電性部材と前記第一ユニットの一部を貫通している、そして、前記円筒の端面でもって、前記導電性部材を前記第一ユニットに押圧することを特徴とする請求項１に記載のプロセスカートリッジ。
【請求項６】
電子写真画像形成装置の装置本体に着脱可能なプロセスカートリッジであって、電子写真感光体と、前記電子写真感光体に作用するプロセス手段と、前記電子写真感光体、及び、前記プロセス手段を支持する第一ユニットと、前記第一ユニットと回動可能に結合されている第二ユニットと、前記第一ユニットと前記第二ユニットとを回動可能に結合するように前記第一ユニットと前記第二ユニットとにまたがって設けられている結合部材であって、前記プロセスカートリッジが前記装置本体に装着された際に、前記装置本体から前記プロセス手段に供給するためのバイアスを受ける導電性の結合部材と、前記プロセスカートリッジが前記装置本体に装着された際に、前記結合部材が受けた前記バイアスを前記プロセス手段に供給するために、前記結合部材と接触して設けられている導電性部材であって、前記第一ユニットに設けられている導電性部材と、前記第一ユニットと前記第二ユニットとがその長手方向に相対的に移動することによって、前記導電性部材が前記結合部材を押圧する押圧力を前記導電性部材に与える力付与部であって、前記第二ユニットに設けられている力付与部と、を有するプロセスカートリッジの組立て方法において、
前記第二ユニットが有する力付与部を前記第一ユニットの内部に侵入させる力付与部侵入工程と、
前記第一ユニットと前記第二ユニットとを回転可能に結合するための導電性の結合部材を前記力付与部に貫通させて、及び、前記第二ユニットに設けられた導電性部材と前記結合部材とを接触させる結合部材取付け工程であって、前記結合部材を前記導電性部材に接触させる際に、前記力付与部によって前記導電性部材が移動しようとするのを規制しつつ、前記結合部材を前記導電性部材に接触させて前記第一ユニットと前記第二ユニットとを結合させる結合部材取付け工程と、
を有することを特徴とするプロセスカートリッジの組立て方法。
【請求項７】
電子写真画像形成装置の装置本体に着脱可能なプロセスカートリッジの有する第一ユニットと第二ユニットとを回動可能に結合する結合部材において、
電子写真感光体と前記電子写真感光体に作用するプロセス手段とを有する前記第一ユニットと第二ユニットとを結合するために、前記結合部材を前記第一ユニットと第二ユニットにまたがって挿入する挿入方向の先端側に設けられた第一円柱部と、
前記挿入方向の後端側に設けられ、前記第一円柱部の直径よりも直径が大きい第二円柱部と、
前記第一円柱部と前記第二円柱部の間に、前記第一円柱部から前記第二円柱部の側に向かって傾斜する斜面であって、前記斜面の第二円柱部側端部の直径が前記第二円柱部の直径よりも直径が小さい斜面と、
前記斜面と前記第二円柱部との間に位置する第三円柱部であって、前記結合部材が前記第一ユニットと第二ユニット内へ挿入された際に、前記装置本体から受けたバイアスを前記プロセス手段に供給するために前記第一ユニットに設けられた導電性部材の一部が弾性的に接触する第三円柱部と、
を有し、
前記斜面の前記第二円柱部側端部が前記第三円柱部の周面に対して略直角であって、前記結合部材が前記第一ユニットと第二ユニット内から前記挿入方向とは反対方向へ所定距離以上移動しようとする際に、前記導電性部材の一部が、前記斜面の前記第二円柱部側端部に接触して、前記結合部材のそれ以上の移動を規制することを特徴とする結合部材。
【手続補正２】
【補正対象書類名】明細書
【補正対象項目名】００５３
【補正方法】変更
【補正の内容】
【００５３】
図７において、結合ピン４９は、軸形状に構成されている。そして、結合ピン４９は、クリーナユニット５０内への進入方向側（図の右側）から順に、先端部４９ａ（第一円柱部）、テーパ部４９ｂ（斜面）、つば部４９ｃ、中央軸部４９ｄ（第三円柱部）、後端部４９ｅ（第二円柱部）を有する。ここで、後端部４９ｅの直径は、先端部４９ａよりも直径が大きい。また、テーパ部４９ｂは、先端部４９ａから後端部４９ｅに向かって直径が大きくなるように、傾斜している。また、テーパ部４９ｂの後端部４９ｅ側の端部の直径は、後端部４９ｅの直径よりも小さい。図１１に示されるように、この結合ピン４９は、全長が２８．０ｍｍであり、先端部４９ａの長さが７．０ｍｍ、テーパ部４９ｂの長さが１．２ｍｍ、中央軸部４９ｄの長さが２．０ｍｍ、後端部４９ｅの長さが１７．８ｍｍである。また、直径は、先端部４９ａが２．６ｍｍ、つば部４９ｃが３．０ｍｍ、中央軸部４９ｄが２．７ｍｍ、後端部４９ｅが３．０ｍｍである。結合ピン４９の材質としては、アルミニウム、鉄、銅、ステンレスなどの金属や、ポリカーボネート、ポリブチレンテレフタレート、ポリフェニレンサルファイド、ポリアミド、ポリアセタールなどの樹脂中にカーボン、アルミニウム、酸化インジウム、酸化チタンなどの導電性粒子を分散した導電性樹脂など、導電性を有する材料を用いる。本実施の形態においては、金属材料の結合ピン４９とした。
【手続補正３】
【補正対象書類名】明細書
【補正対象項目名】００６１
【補正方法】変更
【補正の内容】
【００６１】
そして、図１５に示すように、前記カートリッジ７は画像形成装置本体１００に装着されると、カートリッジ７の長手方向において、現像ユニット４６に設けられた駆動入力部材３９と装置本体１００に設けられた本体側駆動部材１０３とが噛み合う。更に、駆動入力部材３９は、該本体側駆動部材１０３から回転力を受けた際にクリーナユニット５０に対して現像ユニット４６を結合ピン４９側に所定量移動させるようなギヤ形態が用いられる。本実施例では駆動入力部材３９としてはすばギア（はす歯ギア）を用いている。駆動入力部材３９と本体側駆動部材１０３が噛み合った状態において、画像形成前の前多回転（プリント信号オンから実際に画像形成（印字）工程動作がなされるまでの間の画像形成前の準備回転動作期間）を行う。そのため、本体側駆動部材１０３が駆動系（不図示）を介して回転駆動され、その駆動力が駆動入力部材３９に入力されると、現像ユニット４６は図１５の矢印方向に力をうける。即ち、現像ユニット４６は、電極板５６をクリーナユニット５０に突き当てる方向に力を受ける。更に言い換えると、現像ユニット４６とクリーナユニット５０とが前記長手方向に相対的に移動することによって、現像ユニット４６の突き当て部４６ａが、電極板５６の平面部５６ｃに当接する。その結果、前記平面部５６ｃは、クリーナユニット５０の外側壁５０ａに押し付けられる。これによって、電極板５６の切り起こし部５６ａが結合ピン４９を押圧する。即ち、前記平面部５６ｃを押し付けることにより、ピン４９に対する切り起こし部５６ａの当接圧を高くすることができる。これにより電極板５６と結合ピン４９との位置関係及び電気的接続性が安定する。まとめると、切り起こし部５６ａが結合ピン４９を押圧するための押圧力を、突き当て部４６ａが電極板５６に与える。また、本実施例において、前記はすばギアが前記押圧力を本体駆動部材１０３から受ける。